(57)【要約】  受信確認情報ビットに対するコーディング方法をビット数の関数として決定し、ビットの数が第１の所定値を超過する場合に上記受信確認情報ビットにバンドリングを適用することにより、ビットの総数が第２の所定値を超過する場合に、可能であれば、上記受信確認情報ビットを他の制御情報ビットとともに２つの個別のコードワードに分離する方法及び装置が時分割二重（ＴＤＤ）通信システムのダウンリンク（ＤＬ）で複数のセルと構成されるユーザ端末（ＵＥ）に対して提供される。
2014501067.tif 000002
【特許請求の範囲】
【請求項１】
時分割二重（ＴＤＤ）通信システムにおけるユーザ端末（ＵＥ）が基地局に送信するための受信確認情報ビットをエンコーディングする方法であって、
複数の送信時間間隔（ＴＴＩ）のそれぞれ及び前記ＵＥに対して構成される複数のセルのそれぞれに対して前記受信確認情報ビットを生成するステップと、１つの受信確認情報ビットは、１つのデータ送信ブロック（ＴＢ）を送信する送信モード（ＴＭ）で構成されるそれぞれのセルに対して生成され、２つの受信確認情報ビットは、２つのデータＴＢを送信するＴＭで構成されるそれぞれのセルに対して生成され、
第１のコードワード内に前記複数のセルのそれぞれに対する複数の前記ＴＴＩに対応する受信確認情報ビットをセルインデックス値の昇順に配列するステップと、
前記受信確認情報ビットの総数が所定値より少ないか又は同一である場合に前記第１のコードワードをエンコーディングするステップと、
前記第１のコードワードからの連続する受信確認情報ビットを第２のコードワード及び第３のコードワードに交互方式で配置し、前記受信確認情報ビットの総数が前記所定値より大きい場合に、前記第２のコードワード及び前記第３のコードワードをエンコーディングするステップと
を有することを特徴とするエンコーディング方法。
【請求項２】
前記受信確認情報の送信は、物理アップリンク共有チャネルで行われ、前記複数のＴＴＩの数は、前記複数の構成されたセルのうちの１つ基地局により送信される少なくとも１つのスケジューリング割り当てでの情報要素により前記ＵＥに通知されることを特徴とする請求項１に記載のエンコーディング方法。
【請求項３】
前記受信確認情報の送信は、物理アップリンク制御チャネルで行われ、複数の前記ＴＴＩの数は、ＴＴＩの最大数と同一であることを特徴とする請求項１に記載のエンコーディング方法。
【請求項４】
複数の情報ビットを有する他のＵＬ制御情報は、受信確認情報ビットの総数に付加され、受信確認情報ビットの総数及び複数の情報ビットの合計が前記所定値よりさらに大きい場合に、前記合計からの連続情報ビットは、物理アップリンク制御チャネルで第４のコードワード及び第５のコードワードに交互方式で配置され、第４のコードワード及び第５のコードワードがエンコーディングされることを特徴とする請求項１に記載のエンコーディング方法。
【請求項５】
時分割二重（ＴＤＤ）通信システムにおけるユーザ端末（ＵＥ）が受信確認情報ビットを基地局に送信する方法であって、
複数の送信時間間隔（ＴＴＩ）のそれぞれ及び前記ＵＥに対して構成される複数のセルのそれぞれに対して前記受信確認情報ビットを生成するステップと、１つの受信確認情報ビットは、１つのデータ送信ブロック（ＴＢ）を送信する送信モード（ＴＭ）で構成されるそれぞれのセルに対して生成され、２つの受信確認情報ビットは、２つのデータＴＢを送信するＴＭで構成されるそれぞれのセルに対して生成され、
上位レイヤーシグナリングにより前記ＵＥを構成することにより複数の前記セルのサブセットにわたって前記受信確認情報ビットに対する空間−ドメインバンドリングを適用するステップと、
前記空間−ドメインバンドリング、複数の前記ＴＴＩの数、複数の前記セルの数、及び複数の前記セルのサブセットの数に従って前記受信確認情報ビットの総数を送信するステップと
を有することを特徴とする送信方法。
【請求項６】
前記セルのサブセットは、前記ＵＥを前記セルのサブセットの数で構成し、前記サブセットの数をセルインデックス値の降順に従って決定することにより前記基地局を介して暗黙的に決定されることを特徴とする請求項５に記載の送信方法。
【請求項７】
前記ＵＥは、前記受信確認情報ビットの送信が物理アップリンク共有チャネルで行われる場合に空間−ドメインバンドリングを適用し、前記ＵＥは、前記受信確認情報ビットの送信が物理アップリンク制御チャネルで行われる場合に空間−ドメインバンドリングを適用しないことを特徴とする請求項５に記載の送信方法。
【請求項８】
時分割二重（ＴＤＤ）システムにおける基地局と通信する受信確認情報ビットの送信のためのユーザ端末（ＵＥ）装置であって、
複数の構成されたセルのうちの少なくとも１つ及び複数の送信時間間隔（ＴＴＩ）のうちの少なくとも１つを介してデータ送信ブロック（ＴＢ）を受信し、前記受信確認情報ビットを複数の前記ＴＴＩのサブセットのそれぞれ及び複数の構成された前記セルのそれぞれに対して生成し、複数の前記セルのそれぞれに対する複数の前記ＴＴＩのサブセットに対応する前記受信確認情報ビットを第１のコードワード内にセルインデックス値の昇順に配列するための受信器と、１つの受信確認情報ビットは、１つのデータ送信ブロック（ＴＢ）を送信する送信モード（ＴＭ）で構成されるそれぞれのセルに対して生成され、２つの受信確認情報ビットは、２つのデータＴＢを送信するＴＭで構成されるそれぞれのセルに対して生成され、
前記受信確認情報ビットの総数が所定値より小さいか又は同一である場合に前記第１のコードワードをエンコーディングし、前記第１のコードワードからの連続する受信確認情報ビットを第２のコードワード及び第３のコードワードに交互方式で配置し、前記受信確認情報ビットの総数が前記所定値より大きい場合に前記第２のコードワード及び前記第３のコードワードをエンコーディングするためのエンコーダと、
前記第１のコードワードのエンコーディングされた受信確認情報ビット又は前記第２のコードワード及び前記第３のコードワードのエンコーディングされた受信確認情報ビットを送信するための送信器と
を有することを特徴とするユーザ端末装置。
【請求項９】
前記受信確認情報の送信は、物理アップリンク共有チャネルで行われ、複数の前記ＴＴＩのサブセットの数は、複数の構成された前記セルのうちの１つ基地局により送信される少なくとも１つのスケジューリング割り当てでの情報要素により前記ＵＥ装置に通知されることを特徴とする請求項８に記載のユーザ端末装置。
【請求項１０】
前記受信確認情報の送信は、物理アップリンク制御チャネルで行われ、複数の前記ＴＴＩのサブセットの数は、複数の前記ＴＴＩの数と同一であることを特徴とする請求項８に記載のユーザ端末装置。
【請求項１１】
複数の情報ビットを有する他のＵＬ制御情報は、受信確認情報ビットの総数に付加され、前記受信確認情報ビットの総数及び複数の情報ビットの合計が前記所定値よりさらに大きい場合に、前記合計からの連続情報ビットは、物理アップリンク制御チャネルで第４のコードワード及び第５のコードワードに交互方式で配置され、第４のコードワード及び第５のコードワードがエンコーダに提供され、前記送信は、物理アップリンク制御チャネルで行われることを特徴とする請求項８に記載のユーザ端末装置。
【請求項１２】
時分割二重（ＴＤＤ）システムにおける基地局と通信する受信確認情報ビットの送信のためのユーザ端末（ＵＥ）装置であって、
複数の構成されたセルのうちの少なくとも１つ及び複数の送信時間間隔（ＴＴＩ）のうちの少なくとも１つを介してデータ送信ブロック（ＴＢ）を受信し、前記受信確認情報ビットを複数の前記ＴＴＩのサブセットのそれぞれ及び複数の構成された前記セルのそれぞれに対して生成し、上位レイヤーシグナリングを介して複数の前記セルのサブセットにわたって前記受信確認情報ビットに対する空間−ドメインバンドリングを適用するための受信器と、１つの受信確認情報ビットは、１つのデータ送信ブロック（ＴＢ）を送信する送信モード（ＴＭ）で構成されるそれぞれのセルに対して生成され、２つの受信確認情報ビットは、２つのデータＴＢを送信するＴＭで構成されるそれぞれのセルに対して生成され、
前記空間−ドメインバンドリング、複数の前記ＴＴＩの数、複数の前記セルの数、及び複数の前記セルのサブセットの数に従って前記受信確認情報ビットの総数を送信するための送信器と
を有することを特徴とするユーザ端末装置。
【請求項１３】
前記セルのサブセットは、前記ＵＥ装置を前記セルのサブセットの数で構成することにより前記基地局を介して暗黙的に決定され、前記ＵＥ装置は、前記サブセットの数をセルインデックス値の降順に従って決定することを特徴とする請求項１２に記載のユーザ端末装置。
【請求項１４】
前記ＵＥ装置は、前記受信確認情報ビットの送信が物理アップリンク共有チャネルで行われる場合に空間−ドメインバンドリングを適用し、前記ＵＥ装置は、前記受信確認情報ビットの送信が物理アップリンク制御チャネルで行われる場合に空間−ドメインバンドリングを適用しないことを特徴とする請求項１２に記載のユーザ端末装置。
【発明の詳細な説明】
【技術分野】
【０００１】
本発明は、一般的に無線通信システムに関し、より詳細には、通信システムのアップリンクでの受信確認情報の送信に関する。
【背景技術】
【０００２】
通信システムは、基地局（（Base Station：ＢＳ）又はＮｏｄｅ  Ｂ）からの信号の送信をユーザ端末（User Equipment：ＵＥ）に伝達するダウンリンク（DownLink：ＤＬ）と、ＵＥからの信号の送信をＮｏｄｅ  Ｂに伝達するアップリンク（UpLink：ＵＬ）とを含む。通常、端末機又は移動局と呼ばれるＵＥは、固定されてもよく又は移動してもよく、例えば、無線装置、携帯電話、又は個人用コンピュータ装置などであってもよい。Ｎｏｄｅ  Ｂは、一般的に固定局(fixed station)であり、アクセスポイント(access point)又は他の等しい用語でも呼ばれることがある。
【０００３】
ＵＬは、情報コンテンツを運搬するデータ信号、ＤＬでのデータ信号の送信と関連した制御情報を提供する制御信号、及びパイロット信号とも通称されている基準信号（ＲＳ）の送信をサポートする。また、ＤＬも、データ信号、制御信号、ＲＳの送信をサポートする。
【０００４】
ＵＬデータ信号は、物理アップリンク共有チャネル（Physical Uplink Shared CHannel：ＰＵＳＣＨ）を介して送信され、ＤＬデータ信号は、物理ダウンリンク共有チャネル（Physical Downlink Shared CHannel：ＰＤＳＣＨ）を介して送信される。
【０００５】
ＰＵＳＣＨ送信がない場合に、ＵＥは、物理アップリンク制御チャネル（Physical Uplink Control CHannel：ＰＵＣＣＨ）を介してアップリンク制御情報（ＵＣＩ）を送信する。しかしながら、ＰＵＳＣＨ送信がある場合には、ＵＥは、データ情報とともにＰＵＳＣＨを介してＵＣＩを送信することができる。
【０００６】
ＤＬ制御信号は、ブロードキャストされるか又はＵＥ特定方式（UE-specific nature）で送信されることができる。したがって、ＵＥ特定制御チャネルは、他の目的の中でもＰＤＳＣＨ受信のためのスケジューリング割り当て（ＤＬ  ＳＡ）又はＰＵＳＣＨ送信のためのスケジューリング割り当て（ＵＬ  ＳＡ）をＵＥに提供するために使用されることができる。ＳＡは、それぞれのダウンリンク制御情報（ＤＣＩ）フォーマットを用いてそれぞれの物理ダウンリンク制御チャネル（ＰＤＣＣＨ）を介してＮｏｄｅ  ＢからそれぞれのＵＥに送信される。
【０００７】
Ｎｏｄｅ  Ｂは、例えば、無線リソース制御（Radio Resource Control：ＲＲＣ）シグナリングのような上位レイヤーシグナリング、ＰＤＳＣＨ及びＰＵＳＣＨ送信モード（Transmission Mode：ＴＭ）、及びＤＬ信号の受信又はＵＬ信号の送信に関連する他のパラメータを介してＵＥを構成することができる。ＰＤＳＣＨ  ＴＭ又はＰＵＳＣＨ  ＴＭはそれぞれＤＬ  ＳＡ又はＵＬ  ＳＡと関連し、それぞれのＰＤＳＣＨ又はＰＵＳＣＨは、１つのデータ送信ブロック（Transport Block：ＴＢ）又は２つのデータＴＢを送信するか否かを定義する。
【０００８】
ＰＤＳＣＨ又はＰＵＳＣＨ送信は、Ｎｏｄｅ  ＢによりそれぞれのＤＬ  ＳＡ又はＵＬ  ＳＡを用いて上位レイヤーシグナリングを介して又は物理レイヤーシグナリングを介して（例えば、ＰＤＣＣＨを介して）ＵＥにスケジューリングされるか、又は提供されたハイブリッド自動再送要求（Hybrid Automatic Repeat request：ＨＡＲＱ）プロセスの間に非適応性再送信に対応する。上位レイヤーシグナリングによるスケジューリングは、半持続スケジューリング（Semi-Persistent Scheduling：ＳＰＳ）とも称する。ＰＤＣＣＨによるスケジューリングは動的である呼ばれる。また、ＰＤＣＣＨは、ＳＰＳ  ＰＤＳＣＨを解除するために使用されることができる。ＵＥがＰＤＣＣＨをミスする場合（検出を失敗する場合）に、これは、関連するＰＤＳＣＨ又はＰＵＳＣＨをミスする。このイベントは、不連続送信（Discontinuous transmission：ＤＴＸ）と呼ぶ。
【０００９】
ＵＣＩは、ＨＡＲＱプロセスと関連した受信確認（ACKnowledgment：ＡＣＫ）（ＨＡＲＱ−ＡＣＫ）情報を含む。ＨＡＲＱ−ＡＣＫ情報は、ＵＥが正確に受信したＴＢに対する肯定受信確認（ＡＣＫ）に対応するか又はＵＥが不正確に受信したＴＢに対する否定受信確認（Negative ACKnowledgement：ＮＡＣＫ）に対応する複数のビットで構成することができる。ＵＥがＴＢを受信しない場合に、ＵＥは、ＤＴＸ（３状態ＨＡＲＱ−ＡＣＫ情報）を送信することができるが、又はＴＢの不在及び不正確な受信を示すＮＡＣＫを（結合されたＮＡＣＫ／ＤＴＸ状態で）送信することができる。
【００１０】
時分割二重（Time Division Duplex：ＴＤＤ）システムにおいて、ＤＬ及びＵＬ送信は、サブフレームと呼ばれる異なる送信時間間隔（Transmission Time Interval：ＴＴＩ）で発生する。例えば、１０個のサブフレームで構成されるフレームにおいて、一部のサブフレームはＤＬ送信のために使用されることができ、他のサブフレームはＵＬ送信のために使用されることができる。
【００１１】
図１は、ＴＤＤシステムに対するフレーム構造を示す図である。
【００１２】
図１を参照すると、１０ミリ秒（ｍｓ）フレームは、２つの同一のハーフフレームで構成する。各５ｍｓハーフフレーム１１０は、８個のスロット１２０及び３個の特別なフィールドに分割される。３個の特別なフィールドは、ＤＬ  ＰａｒＴシンボル（ＤｗＰＴＳ）１３０、保護期間（Guard Period：ＧＰ）１４０、及びＵＬ  ＰａｒＴシンボル（ＵｐＰＴＳ）１５０を含む。ＤｗＰＴＳ＋ＧＰ＋ＵｐＰＴＳの長さは、１つのサブフレーム（１ｍｓ）１６０と同一である。ＤｗＰＴＳは、Ｎｏｄｅ  Ｂからの同期化信号の送信のために使用されることができ、一方、ＵｐＰＴＳは、ＵＥからの無作為アクセス信号の送信のために使用されることができる。ＧＰは、過度干渉（transient interference）を吸収することによりＤＬとＵＬ送信間の転移を容易にする。
【００１３】
フレーム当たりのＤＬ及びＵＬサブフレームの数は異なってもよく、複数のＤＬサブフレームは、単一のＵＬサブフレームと関連してもよい。複数のＤＬサブフレームを単一のＵＬサブフレームと関連するにあたり、複数のＤＬサブフレームでのＰＤＳＣＨ受信に応答して生成される数ＯＨＡＲＱ−ＡＣＫのＨＡＲＱ−ＡＣＫ情報ビットは、単一のＵＬサブフレーム内で送信される必要がある。この数のＤＬサブフレームＮｂｕｎｄｌｅは、バンドリングウィンドウ（bundling window）と呼ぶ。
【００１４】
ＵＥが複数のＤＬサブフレームでのＰＤＳＣＨ受信に応じて単一のＵＬサブフレームでＨＡＲＱ−ＡＣＫ情報を送信する第１の方法は、ＨＡＲＱ−ＡＣＫバンドリングを伴う。ＨＡＲＱ−ＡＣＫバンドリングにおいて、ＵＥは、自体がすべてのデータＴＢを正確に受信する場合のみにＡＣＫを送信し、すべての他の場合にはＮＡＣＫを送信する。したがって、ＵＥが１つのデータＴＢだけを不正確に受信し、すべての他のデータＴＢを正確に受信する場合にもＮＡＣＫが送信されるので、ＨＡＲＱ−ＡＣＫバンドリングは不必要な再送信を発生させ、ＤＬ処理量を減少させる結果をもたらす。
【００１５】
複数のＤＬサブフレームでのデータＴＢの受信に応答して単一のＵＬサブフレームで最大４ビットのＨＡＲＱ−ＡＣＫ情報を運搬する他の方法は、ＰＵＣＣＨリソース選択に基づくＨＡＲＱ−ＡＣＫマルチプレキシングを伴う。
【００１６】
複数のＤＬサブフレームでの複数のデータＴＢの受信に応答して単一のＵＬサブフレームで複数のＨＡＲＱ−ＡＣＫ情報ビットを運搬する追加的な方法は、例えば、リードミューラー（Reed-Mueller：ＲＭ）コードのようなブロックコードを用いてＨＡＲＱ−ＡＣＫ情報のジョイントコーディング（joint coding）を伴う。
【００１７】
ＰＤＳＣＨが１つのＴＢを送信する場合に、それぞれのＨＡＲＱ−ＡＣＫ情報は、ＴＢが正確に受信される場合にバイナリ‘１’（ＡＣＫ値）としてエンコーディングされ、ＴＢが不正確に受信される場合にバイナリ‘０’（ＮＡＣＫ値）としてエンコーディングされる１ビットで構成される。ＰＤＳＣＨが２つのＴＢを送信する場合に、１つよりさらに高いランクを有する単一ユーザ多入力多出力（Single-User Multiple Input Multiple Output：ＳＵ−ＭＩＭＯ）送信方法に従って、ＨＡＲＱ−ＡＣＫ情報は、第１のＴＢに対して
【数１】
2014501067.tif 000003
であり、第２のＴＢに対して
【数２】
2014501067.tif 000004
である２ビット
【数３】
2014501067.tif 000005
で構成される。しかしながら、ＳＵ−ＭＩＭＯ  ＰＤＳＣＨが１よりさらに大きいランクを有する時にＵＥが空間ドメインで２つのＴＢの受信に関連する２つのＨＡＲＱ−ＡＣＫビットに対してバンドリングを適用する場合に、ＵＥフィードバックは、ただ１つのＨＡＲＱ−ＡＣＫで構成され、ここで、ＨＡＲＱ−ＡＣＫは、少なくとも１つのＴＢが不正確に受信される時にバイナリ値０（ＮＡＣＫ値）を有するか又はＴＢのすべてが正確に受信される時にバイナリ値１（ＡＣＫ値）を有する。ＰＤＳＣＨ  ＴＭが送信されるＴＢの数（１つ又は２つ）を決定するに従って、ＰＤＳＣＨ  ＴＭは、ＨＡＲＱ−ＡＣＫビットのそれぞれの数を決定する（空間−ドメインバンドリングが適用されない場合に）。
【００１８】
図２は、離散フーリエ変換拡散直交周波数分割多重化（Discrete Fourier Transform Spread Orthogonal Frequency Division Multiplexing：ＤＦＴ−Ｓ−ＯＦＤＭ）送信方法を用いて複数のＨＡＲＱ−ＡＣＫ情報ビットを送信するための１つのサブフレーム内のＰＵＣＣＨ構造を示す図である。
【００１９】
図２を参照すると、例えば、ＲＭブロックコード及び直交位相シフトキーイング（Quadrature Phase Shift Keying：ＱＰＳＫ）をそれぞれ用いてエンコーディングし変調した後に、同一のＨＡＲＱ−ＡＣＫビットのセット２１０は、乗算器２２０により直交カバーリングコード（Orthogonal Covering Code：ＯＣＣ）２３０の要素で乗算され、後続してＤＦＴプリコーダ２４０でＤＦＴプリコーディングされる。例えば、ＨＡＲＱ−ＡＣＫビットを送信するスロット当たりの５個のシンボルの場合に、ＯＣＣは、長さが５｛ＯＣＣ（０）、ＯＣＣ（１）、ＯＣＣ（２）、ＯＣＣ（３）、ＯＣＣ（４）｝であり、｛１，１，１，１，１｝、｛１，ｅｘｐ（ｊ２π／５），ｅｘｐ（ｊ４π／５），ｅｘｐ（ｊ６π／５），ｅｘｐ（ｊ８π／５）｝、｛１，ｅｘｐ（ｊ４π／５），ｅｘｐ（ｊ８π／５），ｅｘｐ（ｊ２π／５），ｅｘｐ（ｊ６π／５）｝，｛１，ｅｘｐ（ｊ６π／５），ｅｘｐ（ｊ２π／５），ｅｘｐ（ｊ８π／５），ｅｘｐ（ｊ４π／５）｝、又は｛１，ｅｘｐ（ｊ８π／５），ｅｘｐ（ｊ６π／５），ｅｘｐ（ｊ４π／５），ｅｘｐ（ｊ２π／５）｝であり得る。ＤＦＴプリコーダ２４０の出力は、逆高速フーリエ変換（Inverse Fast Fourier Transform：ＩＦＦＴ）ユニット２５０を介して通過された後に、ＤＦＴ−Ｓ−ＯＦＤＭシンボル２６０にマッピングされる。前の演算が線形であるので、これらの相手命令は相互に交換されることができる。ＰＵＣＣＨ送信が
【数４】
2014501067.tif 000006
ＲＥで構成される１つのＰＲＢであると仮定されるために、それぞれのスロット（１２つのＨＡＲＱ−ＡＣＫ  ＱＰＳＫシンボル）で送信される２４個のエンコーディングされたＨＡＲＱ−ＡＣＫビットが存在し、
【数５】
2014501067.tif 000007
ＲＭコードは
【数６】
2014501067.tif 000008
ＲＭコードにパンクチャーリングされる。同一であるか又は異なるＨＡＲＱ−ＡＣＫビットは、サブフレームの第２のスロットで送信されることができる。ＨＡＲＱ−ＡＣＫ信号に加えて、ＲＳは、それぞれのスロットで送信されることによりＨＡＲＱ−ＡＣＫ信号の一貫した復調を可能にする。それぞれのＲＳは、ＩＦＦＴユニット２８０を介して通過され、他のＤＦＴ−Ｓ−ＯＦＤＭシンボル２９０にマッピングされる長さ１２のＺａｄｏｆｆ−Ｃｈｕ（ＺＵ）シーケンス２７０から構成される。
【００２０】
図２でのＰＵＣＣＨ構造は、２４個のエンコーディングされたＨＡＲＱ−ＡＣＫビットをサポートすることができるときだけ大きい符号化率をもたらさないので、ＰＵＣＣＨ構造は、ＨＡＲＱ−ＡＣＫペイロード（payload）と呼ばれる限定された数のＨＡＲＱ−ＡＣＫ情報ビットのみに対して高信頼性の受信をサポートする。デュアルＲＭコードを使用することによりさらに大きいＨＡＲＱ−ＡＣＫペイロードのサポートを許容することができる。例えば、単一ＲＭコードは、最大１０ビットまでのＨＡＲＱ−ＡＣＫペイロードに対して使用されることができ、デュアルＲＭコードは、１１と２０ビット間のＨＡＲＱ−ＡＣＫペイロードに対して使用されることができる。デュアルＲＭコードにおいて、ＤＦＴの連続する要素へのマッピングは、順次の方式で第１のＲＭコードの出力からの要素と第２のＲＭコードの出力からの要素との間で交互することができる。２０個以上のビットのＨＡＲＱ−ＡＣＫペイロードに対して、コンボルーションコーディング（convolutional coding）が使用されることができる。
【００２１】
図３は、単一ＲＭコードを用いてエンコーディングされるＨＡＲＱ−ＡＣＫ情報を送信するための送信器の構成を示すブロックである。
【００２２】
図３を参照すると、ＨＡＲＱ−ＡＣＫ情報ビット３０５は、エンコーダ及び変調器３１０によりエンコーディングされ変調された後に、乗算器３２０でそれぞれのＤＦＴ−Ｓ−ＯＦＤＭシンボルに対するＯＣＣ３２５の要素で乗算される。その後に、乗算器３２０の出力は、ＤＦＴプリコーダ３３０によりプリコーディングされる。ＤＦＴプリコーディングの後に、制御器３５０の制御を受けるサブキャリアマッパーによりサブキャリアマッピングが実行される。その後に、ＩＦＦＴがＩＦＦＴユニット３６０により実行され、ＣＰがＣＰ挿入器３７０により挿入され、信号がタイムウィンドウイング（time windowing）の間にフィルタ３８０によりフィルタリングされることにより送信される信号３９０が生成される。例えば、ディジタル対アナログコンバータ、アナログフィルタ、増幅器、及び送信器アンテナのような追加送信器回路素子が図３の送信器ブロック図に含まれてもよい。
【００２３】
図４は、単一ＲＭコードを用いてエンコーディングされるＨＡＲＱ−ＡＣＫ情報を受信するための受信器の構成を示すブロック図である。
【００２４】
図４を参照すると、無線周波数（Radio-Frequency：ＲＦ）アナログ信号を受信した後に、これをディジタル信号４１０に変換した後に、ディジタル信号４１０は、フィルタ４２０でタイムウィンドウイングの間にフィルタリングされ、ＣＰはＣＰ除去器４３０で除去される。その後に、Ｎｏｄｅ  Ｂ受信器は、ＦＦＴユニット４４０でＦＦＴを適用し、制御器４５５の制御を受けるサブキャリアデマッパー（demapper）４５０でサブキャリアデマッピング（demapping）を実行し、ＩＤＦＴユニット４６０で逆ＤＦＴ（ＩＤＦＴ）を適用する。その後に、ＩＤＦＴユニット４６０の出力は、乗算器４７０でそれぞれのＤＦＴ−Ｓ−ＯＦＤＭシンボルに対するＯＣＣ要素４７５により乗算される。加算器４８０は、それぞれのスロットを介してＨＡＲＱ−ＡＣＫを送信するＤＦＴ−Ｓ−ＯＦＤＭシンボルに対する出力を合計し、復調器及びデコーダ４９０は、合計したＨＡＲＱ−ＡＣＫ信号をサブフレームスロットの両方ともを介して復調しデコーディングすることによりＨＡＲＱ−ＡＣＫ情報ビット４９５を取得する。例えば、チャネル推定、復調、及びデコーディングのようなよく知られている受信器機能は、図４の受信器ブロック図にも含まれることができる。
【００２５】
図５は、デュアルＲＭコードを用いてエンコーディングされるＨＡＲＱ−ＡＣＫ情報を送信するための送信器の構成を示すブロック図である。
【００２６】
図５を参照すると、ＯＨＡＲＱ−ＡＣＫ個のＨＡＲＱ−ＡＣＫビット５０５のペイロードは、まず、セグメンテーションブロック５１０において、
【数７】
2014501067.tif 000009
ビット及び
【数８】
2014501067.tif 000010
ビットの２部分にセグメンテーションされる。セグメンテーションされた部分は、後続して個別に
【数９】
2014501067.tif 000011
ＲＭコード及び
【数１０】
2014501067.tif 000012
でそれぞれエンコーディングされ、３２つのコーディングされたビットのそれぞれは、その後に２４個のコーディングされたビットにパンクチャーリングされ、２４個のコーディングされたビットは、その後にそれぞれコーディング及び変調ブロック５２０及び５２５でＱＰＳＫ変調されることにより１２つのＱＰＳＫでコーディングされたシンボルが取得される。１２つのＱＰＳＫでコーディングされたシンボルのそれぞれに対する最初の６個がブロック５３０で、例えば、インターレーシング（interlacing）により結合された後に、乗算器５４０でサブフレームの第１のスロットでの送信のためにそれぞれのＤＦＴ−Ｓ−ＯＦＤＭシンボルに対するＯＣＣ５４５の要素で乗算される。サブフレームの第２のスロットで送信される１２つのＱＰＳＫでコーディングされるシンボルのうちの最後の６個には、同一の処理が適用される。ＤＦＴプリコーダ５５０でのＤＦＴプリコーディングの後に、割り当てられたＰＵＣＣＨ  ＰＲＢのＲＥは、制御器５６０の制御を受けるサブキャリアマッパー５６５で選択される。ＩＦＦＴはＩＦＦＴブロック５７０で実行され、最終にＣＰ及びフィルタリングは送信される信号５８０に適用される。例えば、ディジタル対アナログコンバータ、アナログフィルタ、増幅器、及び送信器アンテナのような追加送信器回路素子が図５の送信器ブロック図に含まれることもできる。
【００２７】
図６は、デュアルＲＭコードを用いてエンコーディングされるＨＡＲＱ−ＡＣＫ情報を受信するための受信器の構成を示すブロック図である。
【００２８】
アンテナがＲＦアナログ信号を受信した後及び追加の処理ユニット（フィルタ、増幅器、周波数ダウンコンバータ、及びアナログ対ディジタルコンバータのような）の後に、ディジタル信号６１０がフィルタリングされＣＰが除去される。その後に、Ｎｏｄｅ  Ｂ受信器は、ＦＦＴブロック６２０でＦＦＴを適用し、制御器６３５の制御を受けるサブキャリアデマッパー６３０でＵＥ送信器により使用されるＲＥを選択する。Ｎｏｄｅ  Ｂ受信器は、ＩＤＦＴブロック６４０でＩＤＦＴを適用し、乗算器６５０でそれぞれのＤＦＴ−Ｓ−ＯＦＤＭシンボルに対するＯＣＣ要素６５５で乗算し、合計ブロック６６０で各スロットを通るＤＦＴ−Ｓ−ＯＦＤＭシンボルに対する出力を合計し、収集ブロック６７０で両方のサブフレームスロットからＱＰＳＫシンボルを収集し、分離ブロック６７５で２４個のＱＰＳＫシンボルを１２つのＱＰＳＫシンボルの元来の対で分離（デインターレース（deinterlace））し、復調及びデコーディングブロック６８０及び６８５でそれぞれ１２つのＱＰＳＫシンボルの２対のそれぞれを復調しデコーディングすることにより、送信されるＨＡＲＱ−ＡＣＫビット６９０を取得する。例えば、チャネル推定、復調、及びデコーディングのようなよく知られている受信器機能は、図６の受信器ブロック図に含まれてもよい。
【００２９】
ＰＵＣＣＨで最大ＨＡＲＱ−ＡＣＫペイロードを使用することは、追加のリソースオーバーヘッドを生成しない。ＵＥは、自身が受信しなかったＴＢに対してＮＡＣＫ又はＤＴＸ（３状態ＨＡＲＱ−ＡＣＫ情報の場合に）を送信することができる。しかしながら、Ｎｏｄｅ  Ｂは、ＵＥへのＤＬ  ＳＡ又はＰＤＳＣＨ送信がなくてもＤＬセルをすでに認識しているので、Ｎｏｄｅ  Ｂは、ＵＥがＤＬセルのそれぞれに対するＮＡＣＫを送信するという情報（事前情報）を用いてＨＡＲＱ−ＡＣＫ受信信頼性を改善させることができる。これは、線形ブロックコード及びＱＰＳＫがＨＡＲＱ−ＡＣＫビットのエンコーディング及び変調のためにそれぞれ使用されるように仮定されるために可能であり、Ｎｏｄｅ  Ｂは、ＵＥへのＤＬ  ＳＡ送信がなくてもセルに対応する所定の位置でＮＡＣＫ（バイナリ‘０’）を有するものだけを候補ＨＡＲＱ−ＡＣＫコードワードとして考慮することができる。デコーディングプロセスの実現によりコンボルーションコード又はターボコードがＨＡＲＱ−ＡＣＫ情報ビットをエンコーディングするために使用された場合には、事前情報を用いることが非実用的であるか又は不可能であろう。したがって、ＰＵＣＣＨでのＨＡＲＱ−ＡＣＫ情報の送信に対する符号化率は、Ｎｏｄｅ  Ｂが予め認識していないＨＡＲＱ−ＡＣＫ情報ビットの数に基づく。
【００３０】
ＰＵＳＣＨでのＨＡＲＱ−ＡＣＫ送信の場合に、ＵＥは、下記の＜数式１＞に示すようにコーディングされたシンボルのそれぞれの数
【数１１】
2014501067.tif 000013
を決定する。
【数１２】
2014501067.tif 000014
【００３１】
ここで、
【数１３】
2014501067.tif 000015
は、上位レイヤーシグナリングを介してＵＥに通知され、Ｑｍはデータ変調ビットの数であり（ＱＰＳＫ、ＱＡＭ１６、ＱＡＭ６４に対してそれぞれＱｍ＝２，４，６）、Ｒは、同一のＴＢに対する初期ＰＵＳＣＨ送信のデータコード率であり、
【数１４】
2014501067.tif 000016
は、現在のサブフレーム内のＰＵＳＣＨ送信ＢＷであり、
【数１５】
2014501067.tif 000017
は、数を自身の次の整数にラウンディングする“シーリング関数（ceiling function）”である。コード率Ｒは、
【数１６】
2014501067.tif 000018
として定義され、ここで、ＣＣＢは、コードブロックの総数であり、Ｋｒはコードブロック数ｒに対するビットの数である。ＨＡＲＱ−ＡＣＫ  ＲＥの最大数は、４個のＤＦＴ−Ｓ−ＯＦＤＭシンボルのＲＥ
【数１７】
2014501067.tif 000019
に限定される。Ｑｍ・Ｒの値は、ＰＵＳＣＨのデータ送信のスペクトル効率（Spectral Efficiency：ＳＥ）を決定し、
【数１８】
2014501067.tif 000020
を考慮する場合に、データ送信のために使用される変調及び符号化方式（Modulation and Coding Scheme：ＭＣＳ）から直接的に導出することができる。
【００３２】
ＴＤＤシステムにおいて、ＵＥが潜在的なＴＢ受信に対応するＨＡＲＱ−ＡＣＫ情報をバンドリングウィンドウでの複数のＤＬサブフレームを介して送信する必要があるので、ＤＬ割り当てインデックス（DL Assignment Index：ＤＡＩ）情報要素（ＩＥ）
【数１９】
2014501067.tif 000021
は、ＤＬ  ＳＡに含まれることによりＮｏｄｅ  ＢによりＵＥに送信されるＤＬ  ＳＡの数をＵＥに通知する。Ｎｏｄｅ  Ｂは、未来のＤＬサブフレームでＵＥに対するＤＬ  ＳＡがあるか否かを予測することができないために、
【数２０】
2014501067.tif 000022
は、ＵＥに送信されるそれぞれのＤＬ  ＳＡで増加する相対的なカウンターであり、バンドリングウィンドウ内の最後のＤＬサブフレームの後にはじめから開始する。ＵＥが最後のＤＬ  ＳＡを検出することができない場合に、ＵＥは、このイベントを認識することができず、他方、ＵＥが最後のＤＬ  ＳＡ以外のＤＬ  ＳＡを検出することができない場合に、ＵＥは、自身が同一のバンドリングウィンドウの後続ＤＬサブフレームで他のＤＬ  ＳＡを受信する場合にこのイベントを認識することができる。
【００３３】
図７は、バンドリングウィンドウの４つのＤＬサブフレームにわたったＤＬ  ＤＡＩ  ＩＥに対するセッティングを示す図である。
【００３４】
図７を参照すると、ＤＬサブフレーム０  ７１０において、Ｎｏｄｅ  Ｂは、ＤＬ  ＳＡをＵＥに送信し、ＤＬ  ＤＡＩ  ＩＥ値を
【数２１】
2014501067.tif 000023
にセッティングする。ＤＬサブフレーム１  ７２０において、Ｎｏｄｅ  Ｂは、ＤＬ  ＳＡをＵＥに送信し、ＤＬ  ＤＡＩ  ＩＥ値を
【数２２】
2014501067.tif 000024
にセッティングする。ＤＬサブフレーム２  ７３０において、Ｎｏｄｅ  Ｂは、ＤＬ  ＳＡをＵＥに送信せず、ＤＬ  ＤＡＩ  ＩＥ値を増加させない。ＤＬサブフレーム３  ７４０において、Ｎｏｄｅ  Ｂは、ＤＬ  ＳＡをＵＥに送信し、ＤＬ  ＤＡＩ  ＩＥ値を
【数２３】
2014501067.tif 000025
にセッティングする。
【００３５】
ＵＥがＵＬサブフレームでデータ送信を行い、ＵＥがＵＬサブフレームでもＨＡＲＱ−ＡＣＫ情報を送信するものと予想される場合に、データ及びＨＡＲＱ−ＡＣＫのすべては、ＰＵＳＣＨで送信されることができる。ＵＥが最後のＤＬ  ＳＡをミスしてしまうエラーケースを防止し、Ｎｏｄｅ  ＢとＵＥ間でＰＵＳＣＨでのＨＡＲＱ−ＡＣＫビットの数を同一に理解することを保証するために、ＤＡＩ  ＩＥは、ＰＵＳＣＨをスケジューリングするＵＬ  ＳＡ（ＵＬ  ＤＡＩ  ＩＥ）に含まれることによりＵＥが含まなければならないＨＡＲＱ−ＡＣＫビットの数を表示する。Ｎｂｕｎｄｌｅ＝４である図７でのセットアップの場合に、ＵＬ  ＤＡＩ  ＩＥは、
【数２４】
2014501067.tif 000026
＝０又は４、１、２、３であるそれぞれの値を有する２ビットで表現されることができる。ＵＥがバンドリングウィンドウでＤＬ  ＳＡを受信する場合に、“００”のＵＬ  ＤＡＩ  ＩＥビットは、
【数２５】
2014501067.tif 000027
の代わりに
【数２６】
2014501067.tif 000028
のＵＬ  ＤＡＩ  ＩＥ値にマッピングされる。
【００３６】
通信システムにおいて高いデータ率をサポートするために、さらに高い動作帯域幅（BandWidth：ＢＷ）を提供する複数のセルのキャリアアグリゲーション（Carrier Aggregation：ＣＡ）を考慮する。例えば、６０ＭＨｚを介した通信をサポートするために３つの２０ＭＨｚセルのＣＡが使用されることができる。
【００３７】
図８は、ＣＡの原理を示す図である。
【００３８】
図８を参照すると、６０ＭＨｚの動作ＤＬ  ＢＷ８１０が３個のセルであるＤＬ  ＣＣ１  ８２１、ＤＬ  ＣＣ２  ８２２、及びＤＬ  ＣＣ３  ８２３のアグリゲーションにより構成され、それぞれのＤＬ  ＣＣは、２０ＭＨｚのＤＬ  ＢＷを有する。同様に、６０ＭＨｚの動作ＵＬ  ＢＷ８３０は、ＵＬ  ＣＣ  １  ８４１、ＵＬ  ＣＣ  ２  ８４２、及びＵＬ  ＣＣ  ３  ８４３のアグリゲーションにより構成され、それぞれのＵＬ  ＣＣは２０ＭＨｚのＵＬ  ＢＷを有する。
【００３９】
簡素化のために、図８において、それぞれのセルは固有のＤＬ及びＵＬ対（対称ＣＡ）を有するものと仮定するが、１つ以上のＤＬが単一のＵＬ及び逆（非対照ＣＡ）にマッピングされることも可能である。このマッピングは典型的にＵＥに特定され、Ｎｏｄｅ  Ｂは、例えば、無線リソース制御（Radio Resource Control：ＲＲＣ）シグナリングを用いてＵＥに対するＣセルのセットを構成することができ、例えば、メディアアクセス制御（Medium Access Control：ＭＡＣ）シグナリングを用いてサブフレームでのＰＤＳＣＨ受信に対するＡセル（Ａ≦Ｃ）のサブセットを活性化することができる（ＵＥは、Ｎｏｄｅ  Ｂとの通信のために非活性セルをモニタリングしないことがある）。構成されたセルを活性化するか又は非活性化するＰＤＳＣＨがミスされる場合には、ＵＥ及びＮｏｄｅ  Ｂは、活性化セルを間違って理解するかもしれない。さらに、通信を保持するために、ＤＬ／ＵＬ対を有する１つのセルは常に活性化されたままで滞在する必要があり、これは１次セルと呼ばれる。ＵＥからのＰＵＣＣＨ送信は自体の１次セル（Ｐｃｅｌｌ）内だけにあると仮定され、ＨＡＲＱ−ＡＣＫ情報は単一のＰＵＳＣＨだけで送信される。
【００４０】
図９は、複数のＤＬセルに対する図７に示すＤＬ  ＤＡＩ設計の並列化を示す図である。
【００４１】
図９を参照すると、Ｎｏｄｅ  Ｂは、セル０  ９１０内で３個のＤＬサブフレームでＤＬ  ＳＡをＵＥに送信し、セル０内でのＰＤＳＣＨ受信のみのためにＵＥに送信されるＤＬ  ＳＡの数に従ってＤＬ  ＤＡＩ  ＩＥ値をセッティングする。同様の方式で、Ｎｏｄｅ  Ｂは、セル１  ９２０内の２つのＤＬサブフレーム及びセル２  ９３０内の２つのＤＬサブフレームでＤＬ  ＳＡをＵＥに送信し、それぞれセル１及びセル２でのＰＤＳＣＨ受信のみのためにＵＥに送信されるＤＬ  ＳＡの数に従ってＤＬ  ＤＡＩ  ＩＥ値をセッティングする。
【００４２】
ＨＡＲＱ−ＡＣＫ情報の適切な通信のための基本条件は、ＵＥ及びＮｏｄｅ  ＢがＨＡＲＱ−ＡＣＫペイロードを同一に理解すべきであるものである。これは、送信されるＨＡＲＱ−ＡＣＫコードワードでのセル及びサブフレームを介してＨＡＲＱ−ＡＣＫ情報ビットの順序化及びＨＡＲＱ−ＡＣＫペイロード（単一ＲＭ又はデュアルＲＭコード）を送信するために使用されるコーディング方法の順序化に関する同一の理解を含む。
【００４３】
実際のＨＡＲＱ−ＡＣＫペイロードも、所望する信頼性要件をそうしなければ達成することが難しいとき制限される必要がある。さらに、大きいＨＡＲＱ−ＡＣＫペイロードを送信するためにＰＵＳＣＨで要求されるリソースは過度となり、許容されないオーバーヘッド又はＨＡＲＱ−ＡＣＫペイロードの信頼性ある受信が不可能であることがある。このような理由で、ＨＡＲＱ−ＡＣＫペイロードは圧縮される必要があり、空間−ドメインバンドリングは、可能であれば、ＤＬサブフレームにわたったバンドリング（時間−ドメインバンドリング）又はセルにわたったバンドリング（セル−ドメインバンドリング）が後続する第１の選択としてみなされる。
【発明の概要】
【発明が解決しようとする課題】
【００４４】
本発明の目的は、少なくとも上述した問題点及び／又は不都合に取り組み、少なくとも以下の便宜を提供することにある。すなわち、本発明の目的は、ＴＤＤ通信システムで動作し複数のＤＬセルで構成されることにより、このセルの数の関数として受信確認情報に対するコーディング方法を決定するＵＥに対する方法及び装置を提供することにある。
【課題を解決するための手段】
【００４５】
上記のような目的を達成するために、本発明の実施形態の一態様によれば、時分割二重（ＴＤＤ）通信システムにおけるユーザ端末（ＵＥ）が基地局に送信するための受信確認情報ビットをエンコーディングする方法が提供される。上記受信確認情報ビットは、複数の送信時間間隔（ＴＴＩ）のそれぞれ及び上記ＵＥに対して構成される複数のセルのそれぞれに対して生成される。１つの受信確認情報ビットは、１つのデータ送信ブロック（ＴＢ）を送信する送信モード（ＴＭ）で構成されるそれぞれのセルに対して生成される。２つの受信確認情報ビットは、２つのデータＴＢを送信するＴＭで構成されるそれぞれのセルに対して生成される。複数の上記セルのそれぞれに対する複数のＴＴＩに対応する受信確認情報ビットは、第１のコードワード内にセルインデックス値の昇順に配列される。上記受信確認情報ビットの総数が所定値より少ないか又は同一である場合に上記第１のコードワードがエンコーディングされる。上記第１のコードワークからの連続する受信確認情報ビットは、第２のコードワード及び第３のコードワードに交互方式で配置され、上記受信確認情報ビットの総数が上記所定値よりさらに大きい場合に上記第２のコードワード及び上記第３のコードワードがエンコーディングされる。
【００４６】
本発明の実施形態の他の態様によれば、時分割二重（ＴＤＤ）通信システムにおけるユーザ端末（ＵＥ）が受信確認情報ビットを基地局に送信する方法が提供される。上記受信確認情報ビットは、複数の送信時間間隔（ＴＴＩ）のそれぞれ及び上記ＵＥに対して構成される複数のセルのそれぞれに対して生成される。１つの受信確認情報ビットは、１つのデータ送信ブロック（ＴＢ）を送信する送信モード（ＴＭ）で構成されるそれぞれのセルに対して生成される。２つの受信確認情報ビットは、２つのデータＴＢを送信するＴＭで構成されるそれぞれのセルに対して生成される。ＵＥは、上位レイヤーシグナリングを介して複数の上記セルのサブセットにわたって上記受信確認情報ビットに対する空間−ドメインバンドリングを適用するように構成される。上記空間−ドメインバンドリング、上記複数のＴＴＩの数、複数の上記セルの数、及び複数の上記セルのサブセットの数に従って上記受信確認情報ビットの総数が送信される。
【００４７】
本発明のさらに他の態様によれば、受信確認情報ビットの送信のためのユーザ端末（ＵＥ）装置が提供される。上記ＵＥ装置は、時分割二重（ＴＤＤ）システムにおける基地局と通信する。上記ＵＥ装置は、複数の構成されたセルのうちの少なくとも１つ及び複数の送信時間間隔（ＴＴＩ）のうちの少なくとも１つを介してデータ送信ブロック（ＴＢ）を受信し、上記受信確認情報ビットを複数の上記ＴＴＩのサブセットのそれぞれ及び、上記複数の構成されたセルのそれぞれに対して生成し、複数の上記セルのそれぞれに対する複数の上記ＴＴＩのサブセットに対応する上記受信確認情報ビットを第１のコードワード内にセルインデックス値の昇順に配列するための受信器を含み、１つの受信確認情報ビットは、１つのデータ送信ブロック（ＴＢ）を送信する送信モード（ＴＭ）で構成されるそれぞれのセルに対して生成され、２つの受信確認情報ビットは、２つのデータＴＢを送信するＴＭで構成されるそれぞれのセルに対して生成される。また、上記ＵＥ装置は、上記受信確認情報ビットの総数が所定値より小さいか又は同一である場合に上記第１のコードワードをエンコーディングし、上記第１のコードワードからの連続する受信確認情報ビットを第２のコードワード及び第３のコードワードに交互方式で配置し、上記受信確認情報ビットの総数が上記所定値より大きい場合に上記第２のコードワード及び上記第３のコードワードをエンコーディングするためのエンコーダを含む。上記ＵＥ装置は、上記第１のコードワードのエンコーディングされた受信確認情報ビット又は上記第２のコードワード及び上記第３のコードワードのエンコーディングされた受信確認情報ビットを送信するための送信器をさらに含む。
【００４８】
本発明のさらにその他の態様によれば、時分割二重（ＴＤＤ）システムにおける基地局と通信する受信確認情報ビットの送信のためのユーザ端末（ＵＥ）装置が提供される。上記ＵＥ装置は、時分割二重（ＴＤＤ）システムにおける基地局と通信する。上記ＵＥ装置は、複数の構成されたセルのうちの少なくとも１つ及び複数の送信時間間隔（ＴＴＩ）のうちの少なくとも１つを介してデータ送信ブロック（ＴＢ）を受信し、上記受信確認情報ビットを複数の上記ＴＴＩのサブセットのそれぞれ及び複数の構成された上記セルのそれぞれに対して生成し、上位レイヤーシグナリングを介して複数の上記セルのサブセットにわたって上記受信確認情報ビットに対する空間−ドメインバンドリングを適用するための受信器を含み、１つの受信確認情報ビットは、１つのデータ送信ブロック（ＴＢ）を送信する送信モード（ＴＭ）で構成されるそれぞれのセルに対して生成され、２つの受信確認情報ビットは、２つのデータＴＢを送信するＴＭで構成されるそれぞれのセルに対して生成される。上記ＵＥ装置は、上記空間−ドメインバンドリング、複数の上記ＴＴＩの数、複数の上記セルの数、及び複数の上記セルのサブセットの数に従って上記受信確認情報ビットの総数を送信するための送信器をさらに含む。
【発明の効果】
【００４９】
本発明の他の目的、利点、及び顕著な特徴は、添付の図面及び本発明の実施形態からなされた以下の詳細な説明から、この分野の当業者に明確になるはずである。
【図面の簡単な説明】
【００５０】
【図１】ＴＤＤシステムに対するフレーム構造を示す図である。
【図２】ＤＦＴ−Ｓ−ＯＦＤＭ送信方法を用いて複数のＨＡＲＱ−ＡＣＫ情報ビットを送信するための１つのサブフレームでの従来のＰＵＣＣＨ構造を示す図である。
【図３】単一ＲＭコードを用いてエンコーディングされるＨＡＲＱ−ＡＣＫ情報を送信するための送信器の構成を示すブロック図である。
【図４】単一ＲＭコードを用いてエンコーディングされるＨＡＲＱ−ＡＣＫ情報を受信するための受信器の構成を示すブロック図である。
【図５】デュアルＲＭコードを用いてエンコーディングされるＨＡＲＱ−ＡＣＫ情報を送信するための送信器の構成を示すブロック図である。
【図６】デュアルＲＭコードを用いてエンコーディングされるＨＡＲＱ−ＡＣＫ情報を受信するための受信器の構成を示すブロック図である。
【図７】バンドリングウィンドウの４つのＤＬサブフレームにわたったＤＬ  ＤＡＩ  ＩＥに対するセッティングを示す図である。
【図８】ＣＡの原理を示す図である。
【図９】複数のＤＬセルに対する図７でのＤＬ  ＤＡＩ  ＩＥ設計の並列化を示す図である。
【図１０】本発明の実施形態に従ってセル及びサブフレームにわたったＨＡＲＱ−ＡＣＫ空間−ドメインバンドリングの適用例を示す図である。
【図１１】本発明の実施形態に従ってＵＬ  ＤＡＩ  ＩＥを送信するＵＬ  ＳＡと関連するＰＵＳＣＨでのＨＡＲＱ−ＡＣＫ空間−ドメインバンドリングの適用例を示す図である。
【図１２】本発明の実施形態に従って空間−ドメインバンドリングなしにセルに対して優先順位化となった時間−ドメインバンドリングが後続するＨＡＲＱ−ＡＣＫ空間−ドメインバンドリングの適用例を示す図である。
【図１３】本発明の実施形態に従ってＰＵＣＣＨに関連するＰＵＳＣＨでの異なるＨＡＲＱ−ＡＣＫバンドリングの適用例を示す図である。
【図１４】本発明の実施形態に従って２つのＲＭコードとのコーディングのために、ＨＡＲＱ−ＡＣＫ情報ビット及びもしあれば他のＵＬ制御情報ビットの第１の分離を示す図である。
【図１５】本発明の実施形態に従って２つのＲＭコードとのコーディングのために、ＨＡＲＱ−ＡＣＫ情報ビット及びもしあれば他のＵＬ制御情報ビットの第２の分離を示す図である。
【発明を実施するための形態】
【００５１】
以下、本発明の好適な実施形態について添付図面を参照しながら詳細に説明する。図面における同様な構成要素に対しては、他の図面に表示されても、同様な参照番号及び符号を付けてあることに注意されたい。また、明瞭性及び簡潔性の観点から、本発明に関連した公知の機能や構成に関する具体的な説明が本発明の要旨を不明瞭にすると判断される場合には、その詳細な説明を省略する。
【００５２】
付加的に、本発明の実施形態がＤＦＴ−拡散ＯＦＤＭ送信を参照して説明されるとしても、本実施形態は、一般にすべての周波数分割多重化（ＦＤＭ）送信に、そして、特に単一キャリア周波数分割多重接続（ＳＣ−ＦＤＭＡ）及びＯＦＤＭに適用することができる。
【００５３】
ＵＥは、ＤＬ  ＳＡと関連する各ＴＢに応じてＨＡＲＱ−ＡＣＫ情報を生成するものと仮定する。しかしながら、ＵＥは、それぞれのＤＬ  ＳＡを送信しなくてもＮｏｄｅ  Ｂが所定のＤＬサブフレームでＵＥに送信する各ＳＰＳ  ＴＢと関連するＨＡＲＱ−ＡＣＫ情報を決定論的に生成することもできる。ＵＥは、ＳＰＳ  ＰＤＳＣＨが存在する場合に、ＵＥがＤＬ  ＳＡに応じてＨＡＲＱ−ＡＣＫ情報を生成するのでＳＰＳ  ＰＤＳＣＨによりＨＡＲＱ−ＡＣＫ情報を含むものと理解され、この情報は、例えば、ＨＡＲＱ−ＡＣＫコードワードの開始部に配置することができる。ＵＥは、各ＤＬ  ＳＡに対応するＨＡＲＱ−ＡＣＫ情報ビットを生成するものと仮定する。本発明の実施形態は、構成されたセルをＵＥに関連させるが、活性化されたセルが代わりに考慮される場合に直接に適用することができる。
【００５４】
本発明の実施形態は、ＰＵＣＣＨ又はＰＵＳＣＨでのＨＡＲＱ−ＡＣＫ情報ビットに対するコーディング方法をＨＡＲＱ−ＡＣＫペイロードの関数として決定するための、そして、デュアルＲＭコードでのＨＡＲＱ−ＡＣＫ情報ビットを分割するための様態を考慮する。単一ＲＭコードは、ＨＡＲＱ−ＡＣＫペイロードがＳ１ビットより小さいか又は同一の場合に使用され、デュアルＲＭコードは、ＨＡＲＱ−ＡＣＫペイロードがＳ１ビットよりさらに大きいが、Ｓ２ビットよりさらに小さいか又は同一の場合に使用されると仮定する。ＨＡＲＱ−ＡＣＫペイロードがＳ２ビットより大きい場合に、選択的な又は完全な空間−ドメインバンドリングが適用されることによりＨＡＲＱ−ＡＣＫペイロードをそれぞれＳ２ビットに又はＳ２ビットの下に減少させる。完全空間−ドメインバンドリングの後に、ＨＡＲＱ−ＡＣＫペイロードがＳ２ビットを超過することが継続される場合に、ＨＡＲＱ−ＡＣＫペイロードがＳ２ビットより少なくなるか又は同一となるまで時間−ドメインバンドリング又はセル−ドメインバンドリングが追加で実行される。
【００５５】
Ｃ個の構成セルを有するＵＥの場合に、
【数２７】
2014501067.tif 000029
は、Ｎｂｕｎｄｌｅ個のサブフレームのバンドリングウィンドウでＵＥが検出するＤＬ  ＳＡでのＤＬ  ＤＡＩ  ＩＥに基づいてＵＥがＮｏｄｅ  Ｂから送信されているものと決定するＤＬ  ＳＡの数を示し、Ｑａｄｄ（ｃ）は、ＵＥが検出するＤＬ  ＳＡでのＤＬ  ＤＡＩ  ＩＥからＵＥが決定することができない付加的なＤＬ  ＳＡの数を示す（例えば、ＵＥがセルｃ内のバンドリングウィンドウの最後のＤＬサブフレームでＤＬ  ＳＡを検出する場合にはＱａｄｄ（ｃ）＝０であり、その他の場合にはＱａｄｄ（ｃ）＝１である）。ＴＢｍａｘ（ｃ）は、構成されたＰＤＳＣＨ  ＴＭに従ってセルｃ内のサブフレームでＵＥが受信することができるＴＢの最大数を示し、ＵＬ  ＳＡに関連しないＰＵＣＣＨ又はＰＵＳＣＨで空間−ドメインバンドリングがないＨＡＲＱ−ＡＣＫペイロードは、下記の＜数式２＞に示すようにＮｏｄｅ  ＢとＵＥとの間を間違って理解せず決定されることができる。
【００５６】
【数２８】
2014501067.tif 000030
【００５７】
ＤＬ  ＤＡＩ設計に基づいて、ＨＡＲＱ−ＡＣＫペイロードは、＜数式２＞とは異なるように決定されることができるが、正確な決定は、本発明の実施形態に重要でなく、＜数式２＞は、例としてのみ機能する。例えば、ＨＡＲＱ−ＡＣＫペイロードを計算する代替的方法は、ＯＨＡＲＱ−ＡＣＫ＝Ｎｂｕｎｄｌｅ・（Ｃ＋Ｃ２）であり、ここで、Ｃ２は、ＵＥがサブフレーム当たりの２つのＴＢの受信を可能にするＴＭで構成されるセルの数である。
【００５８】
ＯＨＡＲＱ−ＡＣＫの値に基づいて、ＰＵＣＣＨでのＨＡＲＱ−ＡＣＫ送信のためのコーディング方法は、次のように決定される。
ａ）２≦ＯＨＡＲＱ−ＡＣＫ≦Ｓ１の場合に、単一ＲＭコードは、空間−ドメインバンドリングなしに使用される。
ａ．ＤＬ  ＣＡが少なくともＣ＝２セルの存在を暗示するので、ＯＨＡＲＱ−ＡＣＫに対する最小値は、
【数２９】
2014501067.tif 000031
、Ｑａｄｄ（ｃ）＝０及びＴＢｍａｘ（ｃ）＝１に対して取得される。
ｂ．異なるコーディング方法がＰＵＳＣＨでのＯＨＡＲＱ−ＡＣＫ＝２ビットの送信のために使用されることができるとしても、簡素化のために単一ＲＭコードが仮定される。
ｂ）Ｓ１≦ＯＨＡＲＱ−ＡＣＫ≦Ｓ２の場合に、デュアルＲＭコードは空間−ドメインバンドリングなしに使用される。
ｃ）Ｓ２≦ＯＨＡＲＱ−ＡＣＫの場合に、デュアルＲＭコードは、空間−ドメインバンドリング及び可能な時間−ドメイン又はセル−ドメインバンドリングで使用される。
【００５９】
本発明の実施形態の第１の様態は、Ｓ２≦ＯＨＡＲＱ−ＡＣＫである場合に、単一ＲＭコード又はデュアルＲＭコードの選択及び様々なドメインのバンドリングの適用を考慮する。ＵＥが各セルに対して固有のＣｅｌｌ＿Ｉｎｄｅｘ値が割り当てられると仮定する場合に、バンドリングウィンドウでの最後のＤＬサブフレームに対応するＨＡＲＱ−ＡＣＫ空間−ドメインバンドリングは、まずもっとも大きい（又はもっとも小さい）Ｃｅｌｌ＿Ｉｎｄｅｘを有するセルから開始し、２つのＴＢの受信を可能にする構成されたＴＭを有するセルだけを考慮し、セル−ドメインにわたってそして後続して時間−ドメインにわたって反復する方式で継続して実行される。ＵＥが１次セルで２つのＴＢの受信を可能にするＴＭで構成される場合に、１次セルでの空間−ドメインバンドリングは、それぞれのＣｅｌｌ＿Ｉｎｄｅｘとは関係なく最後に実行されることができる。セル−ドメインにわたって空間−ドメインバンドリングをまず実行する理由は、一部のセルに他のセルよりさらに多くの罰則を与えることを最小化するか又は防止することにある。バンドリングウィンドウの最後のサブフレームに対して空間−ドメインバンドリングをまず実行する理由は、最後のサブフレームで実際のＨＡＲＱ−ＡＣＫ情報ビットを送信することができない可能性がさらに多く（ＵＥは自身が最後のサブフレームでＤＬ  ＳＡを検出することができないか否かを識別することができない）、したがって、バンドリングによる情報損失の影響を最小にすることができるためである。
【００６０】
図１０は、本発明の実施形態に従ってセル及びサブフレームにわたったＨＡＲＱ−ＡＣＫ空間−ドメインバンドリングの適用例を示す図である。
【００６１】
図１０を参照すると、それぞれのセルのＣｅｌｌ＿Ｉｎｄｅｘは、それぞれの数で表現される。セル０  １０１０、セル２  １０３０、及びセル３  １０４０において、ＵＥは、ＤＬサブフレーム当たりの２つのＴＢの受信を可能にするＴＭで構成され、
【数３０】
2014501067.tif 000032
ＤＬサブフレーム（Ｑａｄｄ（ｃ）＝１）に対して、ＵＥは、これらのセルのそれぞれに対して８個のＨＡＲＱ−ＡＣＫビット１０１５、１０３５、及び１０４５をそれぞれ生成する。ＨＡＲＱ−ＡＣＫビットの順序は、ＨＡＲＱ−ＡＣＫが対応するＤＬサブフレームの順序と同一である。セル１  １０２０において、ＵＥは、ＤＬサブフレーム当たりの１個のＴＢの受信を可能にするＴＭで構成され、１０２５である４個のＨＡＲＱ−ＡＣＫビットを生成する。したがって、ＨＡＲＱ−ＡＣＫビットの総数は２８である。Ｓ２＝２０であると仮定する場合に、８個のＨＡＲＱ−ＡＣＫ対の空間−ドメインバンドリングが必要とされ、このバンドリングは、Ｎｂｕｎｄｌｅ＝４個のサブフレームのバンドリングウィンドウでの最後のサブフレーム（ＤＬサブフレーム３）から、そして、もっとも大きいＣｅｌｌ＿Ｉｎｄｅｘ（または最も小さいＣｅｌｌ＿Ｉｎｄｅｘ）を有するセルから開始し、必要な場合に、最も小さいＣｅｌｌ＿Ｉｎｄｅｘを有するセルまで２つのＴＢの送信を可能にする構成されたＴＭを有するセルに対してＣｅｌｌ＿Ｉｎｄｅｘ順序を減少（又は増加）させるにあたりに順次に継続される。したがって、セル２のＤＬサブフレーム３、２、及び１に対応するＨＡＲＱ−ＡＣＫビットに対して、セル３のＤＬサブフレーム３、２、及び１に対応するＨＡＲＱ−ＡＣＫビットに対して、そして、セル０のＤＬサブフレーム３及び２に対して空間−ドメインバンドリングが実行され、バンドルＨＡＲＱ−ＡＣＫ１０５０、１０６０、及び１０７０をそれぞれ発生させる。
【００６２】
１次セルは、空間−ドメインバンドリングに対して最後に考慮されることができる。これは、スケジューリングが他のセルより１次セルでさらに頻繁に発生し得、したがって、１次セルでの空間−ドメインバンドリングが実際のＤＬ  ＳＡと関連しないＨＡＲＱ−ＡＣＫに望ましく適用される代わりに実際のＨＡＲＱ−ＡＣＫビットに適用される可能性がさらに大きいためである。後ろのＨＡＲＱ−ＡＣＫビットは、ＯＨＡＲＱ−ＡＣＫビットの所定のＨＡＲＱ−ＡＣＫコードワードサイズを達成するために生成され、何らの情報も搬送しない（ＨＡＲＱ−ＡＣＫビットは、自身がＮｏｄｅ  Ｂが送信しなかったＤＬ  ＳＡに対応する時にＮｏｄｅ  Ｂデコーダが予め認識しているＮＡＣＫ値にセッティングされるフィラービット（filler bit）である）。さらに、１次セルは、残っているセルでのデータより優先順位がさらに高いデータを送信することができ、空間−ドメインバンドリングを介してＨＡＲＱ−ＡＣＫ情報を圧縮しないことが望ましい場合がある。
【００６３】
空間−ドメインバンドリングを実行するための代案方法は、ＵＥが空間−ドメインバンドリングを実行しなければならないセルの順序をシグナリングするＲＲＣを介してＮｏｄｅ  ＢがＵＥを構成するものである。したがって、Ｃｅｌｌ＿Ｉｎｄｅｘは、ＵＥが空間−ドメインバンドリングを実行すべき構成セルのセットに対するＮｏｄｅ  Ｂ構成順序により置き換えられるものと見なされることができる。付加的に、Ｎｏｄｅ  Ｂは、空間−ドメインバンドリングのために開始サブフレームをＵＥに構成することもできる。
【００６４】
ＵＥが予想されるＨＡＲＱ−ＡＣＫ信号送信と同一のＵＬサブフレームでＰＵＳＣＨの送信に対するＵＬ  ＳＡを受信し、ＨＡＲＱ−ＡＣＫ情報がＰＵＳＣＨに含まれる場合に、ＨＡＲＱ−ＡＣＫペイロードは、下記の＜数式３＞で下記のように決定される。
【数３１】
2014501067.tif 000033
【００６５】
【数３２】
2014501067.tif 000034
がもっとも大きい数のＤＬ  ＳＡを有するセルを表示し、ＨＡＲＱ−ＡＣＫビットがそれぞれのセル内の実際のＤＬ  ＳＡの数に関係なしにそれぞれのセル内の
【数３３】
2014501067.tif 000035
個のＤＬ  ＳＡの送信を取るすべてのセルに対して生成されるものと仮定する。ＵＥは、受信されるＴＢ又はＤＬ  ＳＡに対応しないセル内のＨＡＲＱ−ＡＣＫ情報ビット（＜数式３＞の場合のように総ＯＨＡＲＱ−ＡＣＫビットを送信するためのフィラービット）に対するＮＡＣＫ値を使用することができる。＜数式２＞で決定されたＨＡＲＱ−ＡＣＫペイロードが＜数式３＞で決定されたペイロードよりさらに小さい場合に、前者は、ＵＬ  ＤＡＩ  ＩＥ値には無関係に考慮されることができる。
【００６６】
【数３４】
2014501067.tif 000036
及びＮｂｕｎｄｌｅ＝４の場合に、Ｃ＝４及びＣ２＝３に対するＰＵＳＣＨ内のＨＡＲＱ−ＡＣＫペイロードは、
【数３５】
2014501067.tif 000037
ビットから（又は
【数３６】
2014501067.tif 000038
ビットから）
【数３７】
2014501067.tif 000039
ビットに減少する。結果的に、Ｓ２＝２０である場合に、ただ１個のＨＡＲＱ−ＡＣＫ対に対する空間−ドメインバンドリングが必要である。
【００６７】
図１１は、本発明の実施形態に従ってＵＬ  ＤＡＩ  ＩＥを送信するＵＬ  ＳＡと関連するＰＵＳＣＨでのＨＡＲＱ−ＡＣＫ空間−ドメインバンドリングの適用例を示す図である。
【００６８】
図１１を参照すると、各セルのＣｅｌｌ＿Ｉｎｄｅｘはそれぞれの数で表現される。セル０  １１１０、セル２  １１３０、及びセル３  １１４０において、ＵＥは、ＤＬサブフレーム当たりの２つのＴＢの受信を可能にするＴＭで構成され、
【数３８】
2014501067.tif 000040
に対して、ＵＥは、これらのセルの各々に対して６個のＨＡＲＱ−ＡＣＫビット１１１５、１１３５、及び１１４５を生成する。ＨＡＲＱ−ＡＣＫビットの順序は、ＨＡＲＱ−ＡＣＫが対応するＤＬサブフレームの順序と同一である。セル１  １１２０において、ＵＥは、ＤＬサブフレーム当たりの１個のＴＢの受信を可能にするＴＭで構成され、
【数３９】
2014501067.tif 000041
に対して、ＵＥは、１１２５である３個のＨＡＲＱ−ＡＣＫビットを生成する。したがって、ＨＡＲＱ−ＡＣＫビットの総数は２１である。ＨＡＲＱ−ＡＣＫビットの空間−ドメインバンドリングは、バンドリングウィンドウでの最後のサブフレームから（ＤＬサブフレーム３）及びもっとも大きいＣｅｌｌ＿Ｉｎｄｅｘを有するセルから開始するので、これは、セル３のＤＬサブフレーム３に対応するＨＡＲＱ−ＡＣＫビットのみに対して実行され、バンドルＨＡＲＱ−ＡＣＫビット１１５０を発生させる。
【００６９】
空間−ドメインバンドリングがＳ２ビットで又はＳ２ビットの以下にＨＡＲＱ−ＡＣＫペイロードを減少させるのに十分でない場合に、時間−ドメインバンドリング及び／又はセル−ドメインバンドリングが追加で適用される。時間−ドメインバンドリングがまず実行されると仮定する場合（この逆も適用されることができる）、空間−ドメインバンドリングがすでに２つのＴＢに対するＨＡＲＱ−ＡＣＫ情報を１個のＨＡＲＱ−ＡＣＫビットに圧縮するので、時間−ドメインバンドリングは、空間−ドメインバンドリングが実行されないセルで（すなわち、構成されたＴＭがＵＥによりただ１つのＴＢの受信を可能にするセルで）優先順位となる。他方、空間−ドメインバンドリングも実行されるセル上で時間−ドメインバンドリングが実行される場合に、４個のＴＢに対するＨＡＲＱ−ＡＣＫ情報は、１個のＨＡＲＱ−ＡＣＫにさらに圧縮され、これは、圧縮されたＨＡＲＱ−ＡＣＫ情報によりシステム処理量での損失を増加させるために好ましくない。
【００７０】
図１２は、本発明の実施形態に従って空間−ドメインバンドリングなしにセルに対して優先順位づけられた時間−ドメインバンドリングが後続するＨＡＲＱ−ＡＣＫ空間−ドメインバンドリングの適用例を示す図である。
【００７１】
図１２を参照すると、空間−ドメインバンドリングに対するセルの順序は、空間−ドメインバンドリングが適用可能なすべてのセルである、セル０  １２１０、セル２  １２３０、セル３  １２４０、及びセル４  １２５０に対して実行され、Ｎｂｕｎｄｌｅ＝４のＤＬサブフレームのバンドリングウィンドウサイズに対して、８個のＨＡＲＱ−ＡＣＫビット１２１５、１２３５、１２４５、及び１２５５のそれぞれは、それぞれ４個のＨＡＲＱ−ＡＣＫビット１２１８、１２３８、１２４８、及び１２５８に圧縮される。空間−ドメインバンドリングの後のＱ＝２４の総数のＨＡＲＱ−ＡＣＫビットはＳ２＝２０であるので、セル１  １２２０及びセル５  １２６０に対する時間−ドメインバンドリングが後続する。適用可能なそれぞれのセルでの時間−ドメインでのバンドリングサイズは、要求されるＨＡＲＱ−ＡＣＫビットの減少から
【数４０】
2014501067.tif 000042
として
（又は時間−ドメインバンドリングが実行される最後のセルの場合に、
【数４１】
2014501067.tif 000043
として）決定され、ここで、
【数４２】
2014501067.tif 000044
は、数を自身の下にある整数にラウンディングする“フロア（floor）”関数であり、Ｃ１は、ただ１つのＴＢの受信を可能にする構成されたＴＭを有するセルの数である。その後に、元来の４個のＨＡＲＱ−ＡＣＫビット１２２５及び１２６５は、それぞれ２つのＨＡＲＱ−ＡＣＫビット１２２８及び１２６８に圧縮される。
【００７２】
時間−ドメインバンドリングの適用に対するセルの順序は、それぞれの“Ｃｅｌｌ＿Ｉｎｄｅｘ”に基づいてもよく、又はそれぞれのＵＥに対してＮｏｄｅ  Ｂにより構成されることができ、１次セル上の時間−ドメインバンドリングは最後に実行されることができる。
【００７３】
ＰＵＣＣＨでのＨＡＲＱ−ＡＣＫ送信の場合に、例えば、図３での１０ビットの送信の場合又は図５での２０ビットの送信の場合のように最大ペイロードに対して要求されるリソースがすでに存在し、ＨＡＲＱ−ＡＣＫペイロードの最大以下へのさらなる減少は、オーバーヘッド減少を発生させないであろう。これは、ＰＵＳＣＨでのＨＡＲＱ−ＡＣＫ送信でもそうではなく、ここで要求されるリソースは、ＨＡＲＱ−ＡＣＫペイロードが増加するほど増加する（例えば、数１に示すように）。例えば、１０ビット以上のような非常に大きいＨＡＲＱ−ＡＣＫペイロードの場合に、ＰＵＳＣＨでＨＡＲＱ−ＡＣＫマルチプレキシングにより導入されたオーバーヘッドは相当であり、特に、このオーバーヘッドは、ＵＬ  ＳＡと関連しない場合（例えば、可能な最大のＨＡＲＱ−ＡＣＫペイロードが仮定されるＳＰＳ送信又は非適応型ＨＡＲＱ送信に対してのような）に、データ受信の信頼性に影響を及ぼすことができる。さらに、ＰＵＳＣＨでのＨＡＲＱ−ＡＣＫマルチプレキシングに割り当てられることができる最大リソースは、所望するＨＡＲＱ−ＡＣＫ受信信頼性を保証するのに十分でないことがある。
【００７４】
本発明の第２の実施形態は、ＰＵＳＣＨでより小さいＨＡＲＱ−ＡＣＫペイロードを達成するために、付加のバンドリングがＰＵＣＣＨでのＨＡＲＱ−ＡＣＫ送信に関連するＰＵＳＣＨでのＨＡＲＱ−ＡＣＫ送信に適用されることができることを考慮することにより問題に対処する。例えば、ＰＵＣＣＨでのＨＡＲＱ−ＡＣＫペイロードは、最大Ｓ２ビットまで許容されることができ、他方、ＰＵＳＣＨでのＨＡＲＱ−ＡＣＫペイロードは、最大Ｓ０ビットまで許容されることができ、ここで、Ｓ０＜Ｓ２である（例えば、Ｓ０＝Ｓ１である）。
【００７５】
ＰＵＳＣＨでの付加のＨＡＲＱ−ＡＣＫバンドリングに対するプロセスは、ＨＡＲＱ−ＡＣＫバンドリングが空間−ドメインで実行される図１０及び図１２ですでに説明されたものと同一の原理に従うことができ、ここで付加され、付加のバンドリングが最大に許容されたＨＡＲＱ−ＡＣＫペイロードを達成するのに必要な場合に、このバンドリングは、時間−ドメイン（又はセル−ドメイン）で継続される。ＨＡＲＱ−ＡＣＫバンドリングの適用又は非適用がそれぞれのＵＰＣＣＨ構造によりサポートされることができる最大ＨＡＲＱ−ＡＣＫペイロードに従う（すなわち、Ｓ１及びＳ２の値に従う）デフォルトであるＰＵＣＣＨでのＨＡＲＱ−ＡＣＫ送信とは異なり、ＰＵＳＣＨでのＨＡＲＱ−ＡＣＫバンドリングの適用は、ＰＵＳＣＨ送信のサイズ及び／又はデータ送信に対するＭＣＳのようなＰＵＳＣＨ送信のパラメータにさらに左右されることができ、したがって、Ｓ０は、これらのパラメータの関数である。
【００７６】
第１の方法において、Ｓ０の値は予め決定されることができる。例えば、Ｓ１と同一であることができる。その後、ＰＵＣＣＨでのＨＡＲＱ−ＡＣＫバンドリングは、ＨＡＲＱ−ＡＣＫペイロードがＳ２ビットに圧縮され、デュアルＲＭモードが使用されるまで適用されても、追加のＨＡＲＱ−ＡＣＫバンドリングは、ＨＡＲＱ−ＡＣＫペイロードがＳ１ビットに圧縮され、単一のＲＭコードが常に使用されるまでＰＵＳＣＨでのＨＡＲＱ−ＡＣＫ送信のために適用されることができる。
【００７７】
第２の方法において、Ｓ０の値は、ＰＵＳＣＨ送信パラメータに基づいて動的に計算される。このような１つのパラメータは、データ送信のＭＣＳである。例えば、ＭＣＳが所定のしきい値ＭＣＳｔｈｒ未満である場合にＳ０＝Ｓ１であり、他方、それ以外にはＳ０＝Ｓ２である。これは、データ送信のＭＣＳ又は同等にデータ送信の空間効率が、例えば、＜数式１＞で示すように、ＰＵＳＣＨでのＨＡＲＱ−ＡＣＫマルチプレキシングに要求されるＰＵＳＣＨリソースを決定する点にある。その後、特に相対的に低いデータ空間効率を有するＰＵＳＣＨ送信に対する相当なＨＡＲＱ−ＡＣＫオーバーヘッドを防止するために、より多い量のＨＡＲＱ−ＡＣＫバンドリングは、データ及びＨＡＲＱ−ＡＣＫ情報のすべてに対する受信信頼度を改善するためにＭＣＳｔｈｒ以下のＭＣＳに対して適用されることができる。
【００７８】
第３の方法において、Ｓ０の値はＰＵＳＣＨ送信（
【数４３】
2014501067.tif 000045
）のサイズに基づいて動的に計算され、また、これは、例えば、＜数式１＞で説明されるようにＰＵＳＣＨでのＨＡＲＱ−ＡＣＫマルチプレキシング対して使用可能なリソースの最大量を決定する。この場合に、Ｓ０は
【数４４】
2014501067.tif 000046
として決定されることができ、ここで、Ｍｒは、例えば２のような所定の数であり、結果的なＲＭコード率が１／Ｍｒを超過しないことを保証する。
【００７９】
図１３は、本発明の実施形態に従ってＰＵＣＣＨに関連するＰＵＳＣＨで異なるＨＡＲＱ−ＡＣＫバンドリングを適用する原理を示す図である。
【００８０】
図１３を参照すると、ＰＵＣＣＨ１３１０でのＯＨＡＲＱ−ＡＣＫビットのＨＡＲＱ−ＡＣＫペイロード１３０５の送信のために、ステップ１３２０において、ＯＨＡＲＱ−ＡＣＫ≦Ｓ１である場合に、ステップ１３２５において、単一ＲＭコードが使用されバンドリングが使用されない。あるいは、ステップ１３３０において、Ｓ１＜ＯＨＡＲＱ−ＡＣＫ≦Ｓ２であるかが決定される。Ｓ１＜ＯＨＡＲＱ−ＡＣＫ≦Ｓ２である場合に、ステップ１３３５において、デュアルＲＭコードが使用されバンドリングが使用されず、他方、Ｓ１＜ＯＨＡＲＱ−ＡＣＫ≦Ｓ２がＳ２＜ＯＨＡＲＱ−ＡＣＫである場合に、ステップ１３４５において、上述したように、デュアルＲＭコードは使用され、ＨＡＲＱ−ＡＣＫバンドリングは使用されない。ＰＵＳＣＨ１３１５でのＨＡＲＱ−ＡＣＫ送信の場合に、Ｓ０は、ステップ１３５０において、上述したように最初に決定される。ブロック１３６０において、ＯＨＡＲＱ−ＡＣＫ≦Ｓ０であるかが決定される。ＯＨＡＲＱ−ＡＣＫ≦Ｓ０である場合に、ステップ１３６５において、ＨＡＲＱ−ＡＣＫペイロード決定（バンドリングが実行されるか否か）に対する同一のプロセス及びＰＵＣＣＨでの送信に関するエンコーディングが適用される。他方、ＯＨＡＲＱ−ＡＣＫ≦Ｓ０でない場合に、ステップ１３８０において、ＨＡＲＱ−ＡＣＫバンドリングが適用されることによりＨＡＲＱ−ＡＣＫペイロードをＯＨＡＲＱ−ＡＣＫからＳ０に減少させる。後続して、ステップ１３９０において、ＯＨＡＲＱ−ＡＣＫビットの初期ペイロードの代わりに、バンドリングを介して圧縮されたＳ０ビットのペイロードが使用される点を除いてＨＡＲＱ−ＡＣＫペイロード決定（バンドリングが実行されるか否か）に対する同一のプロセス及びＰＵＣＣＨでの送信に関するエンコーディングが適用される。
【００８１】
Ｓ１＜ＯＨＡＲＱ−ＡＣＫ≦Ｓ２であり、デュアルＲＭコードが使用される場合に、デュアルＲＭコードの２つのＨＡＲＱ−ＡＣＫコードワード間の同一でないエラー率保護を最小化するか又は防止することにより、そして、何らのコードワードもそれぞれのＨＡＲＱ−ＡＣＫコードワードの受信信頼性に逆効果を発生させ得る高いコード率を経験しないことを保証することによりＨＡＲＱ−ＡＣＫ情報の受信信頼性が保証されなければならない。上述したように、デュアルＲＭコードのうちの１つのコードワードは、実際のＤＬ  ＳＡと関連するＨＡＲＱ−ＡＣＫビットを主に含んではならず、他方、デュアルＲＭコードのうちの他のコードワードは代わりに生成されることにより所定のＨＡＲＱ−ＡＣＫコードワードサイズのＯＨＡＲＱ−ＡＣＫビットだけを達成し、何らの情報も搬送しない実際のＤＬ  ＳＡと関連しないＨＡＲＱ−ＡＣＫビット（フィルタビット）を大部分含む。
【００８２】
本発明の第３の実施形態は、デュアルＲＭコードに対する２つのコードワードでＨＡＲＱ−ＡＣＫビットの分割を考慮する。図５について上述したように、第１のＳ１ＨＡＲＱ−ＡＣＫビットを２つのＲＭコードのうちの第１のコードに配置し、残りのＯＨＡＲＱ−ＡＣＫ−Ｓ１ＨＡＲＱ−ＡＣＫビットを２つのＲＭコードのうちの第２のコードに配置する代わりに、
【数４５】
2014501067.tif 000047
ＨＡＲＱ−ＡＣＫビットを２つのＲＭコードのうちの第１のコードに提供し、残りの
【数４６】
2014501067.tif 000048
ＨＡＲＱ−ＡＣＫビットを２つのＲＭコードのうちの第２のコードに提供することにより、２つのＲＭコードのそれぞれでのＨＡＲＱ−ＡＣＫペイロードが実際に同一に分離されることを考慮する。
【００８３】
本発明の実施形態は、ＨＡＲＱ−ＡＣＫの以外に、Ｏｏｔｈｅｒ＿ＵＣＩビットのペイロードを有する追加のＵＬ制御情報がＰＵＣＣＨでのＨＡＲＱ−ＡＣＫと共同でコーディングされる場合に、Ｏｏｔｈｅｒ＿ＵＣＩビットに対して２つのＲＭコード間で実際に同一に分離することも提供されることを考慮する（Ｓ１＜ＯＨＡＲＱ−ＡＣＫ＋Ｏｏｔｈｅｒ＿ＵＣＩ≦Ｓ２を仮定する）。例えば、追加制御情報は、サービス要請指示子（Service Request Indicator：ＳＲＩ）又はチャネル状態情報（Channel State Information：ＣＳＩ）であり得る。その後に、追加制御情報の
【数４７】
2014501067.tif 000049
ビットは、２つのコードのうちの第１のコードに提供され、追加制御情報の残りの
【数４８】
2014501067.tif 000050
ビットは、２つのＲＭコードのうちの第２のコードに提供される。すべてのＯｏｔｈｅｒ＿ＵＣＩビットが実際の情報を示しても、２つのＲＭコードワード間を同一に分離する理由は、２つのＲＭコードワードのそれぞれにより送信される異なるタイプの情報ビットで均衡を達成しながらＯＨＡＲＱ−ＡＣＫビットの同一の分離を保持するためである。
【００８４】
ＨＡＲＱ−ＡＣＫビット及び他のＵＬ制御情報のビットの分離は、２つのコードワード間の同一でないコード率を防止するために初期ペイロードからのＯＨＡＲＱ−ＡＣＫビット及びＯｏｔｈｅｒ＿ＵＣＩビット（存在する場合）をデュアルＲＭコードのそれぞれの第１及び第２のコードワードに交互することによるものであることができる（そうでなければ、１つのコードワードは、実際のＤＬ  ＳＡと関連するＨＡＲＱ−ＡＣＫビットを大部分含むことができ、他方、他のコードワードは、代わりに生成されることにより所定のＨＡＲＱ−ＡＣＫコードワークの大きさを達成し、何らの情報も運搬しない実際のＤＬ  ＳＡと関連しないＨＡＲＱ−ＡＣＫビットを大部分含むことができるためである）。
【００８５】
図１４は、本発明の実施形態に従って２つのＲＭコードとのコーディングのために、ＨＡＲＱ−ＡＣＫ情報ビット及び、もしあれば他のＵＬ制御情報ビットの第１の分離を示す図である。
【００８６】
図１４を参照すると、ＨＡＲＱ−ＡＣＫペイロード１４１０は、
【数４９】
2014501067.tif 000051
ビット及び
【数５０】
2014501067.tif 000052
ビット１４２０に分割される。他のＵＬ制御情報がある場合に、制御情報１４３０のペイロードは、
【数５１】
2014501067.tif 000053
ビット及び
【数５２】
2014501067.tif 000054
ビット１４４０に分離される。後続して、
【数５３】
2014501067.tif 000055
＋
【数５４】
2014501067.tif 000056
ビット１４５０は、第１のＲＭコードワード１４６０に提供され、
【数５５】
2014501067.tif 000057
＋
【数５６】
2014501067.tif 000058
ビット１４７０は、第２のＲＭコード１４８０に提供される。
【００８７】
図１５は、本発明の実施形態に従って２つのＲＭコードとのコーディングのために、ＨＡＲＱ−ＡＣＫ情報ビット及び、もしあれば他のＵＬ制御情報ビットの第２の分離を示す図である。
【００８８】
図１５を参照すると、ＨＡＲＱ−ＡＣＫペイロードＯＨＡＲＱ−ＡＣＫ１５１０は他のＵＬ制御情報ペイロードＯｏｔｈｅｒ＿ＵＣＩ１５２０に追加され、結合されたペイロードはＯＨＡＲＱ−ＡＣＫ＋Ｏｏｔｈｅｒ＿ＵＣＩ情報ビット１５３０の第１のコードワードとなり、その後に、第１のコードワードは、
【数５７】
2014501067.tif 000059
情報ビット１５４０の第２のコードワード及び
【数５８】
2014501067.tif 000060
情報ビット１５５０の第３のコードワードに分割される（Ｓ１＜ＯＨＡＲＱ−ＡＣＫ＋Ｏｏｔｈｅｒ＿ＵＣＩ≦Ｓ２であることを仮定し、第１のコードワードの連続ビットを交互方式で第２のコードワード及び第３のコードワードに配置することにより）。後続して、
【数５９】
2014501067.tif 000061
情報ビット１５４０は、第１のＲＭコードワード１５６０に提供され、
【数６０】
2014501067.tif 000062
情報ビット１５５０は、第２のＲＭコード１５７０に提供される。他のＵＬ制御情報がない場合に、図１５での構造は、図１４での構造と同一である。
【００８９】
ＰＵＳＣＨでＨＡＲＱ−ＡＣＫ送信のためにデュアルＲＭコードを使用するにあたり、２つのコードワードのそれぞれに対して同一の信頼度を保証するために、Ｑ’でコーディングされたシンボルが例えば数１を用いて計算され、ＲＭコードの２つのコードワードのそれぞれに割り当てられるので、Ｑ’でコーディングされたシンボルから同一の数を有することが好ましい。これは、Ｑ’が小さい（正の）整数である場合に特に重要である。したがって、Ｑ’の計算は、Ｑ’が奇数である場合に偶数のＱ’でコーディングされたシンボルを取得するようにもう１つのコーディングされたシンボルを付加することにより修正されなければならない。例えば、
【数６１】
2014501067.tif 000063
が奇数である場合に、数１での計算は、下記の＜数式４＞で記載されるように修正されることができる。
【数６２】
2014501067.tif 000064
【００９０】
以上、本発明を具体的な実施形態を参照して詳細に説明してきたが、本発明の範囲及び趣旨を逸脱することなく様々な変更が可能であるということは当業者には明らかであり、本発明の範囲は、上述の実施形態に限定されるべきではなく、特許請求の範囲の記載及びこれと均等なものの範囲内で定められるべきである。
【符号の説明】
【００９１】
３０５  ＨＡＲＱ−ＡＣＫビット
３１０  エンコーダ及び変調器
３２０  乗算器
３３０  ＤＦＴプリコーダ
３４０  サブキャリアマッピング
３５０  制御器
３６０  ＩＦＦＴユニット
３７０  挿入器
３８０  フィルタ
３９０  信号
４１０  信号
４２０  フィルタ
４３０  除去器
４４０  ＦＦＴユニット
４５０  サブキャリアデマッパー（ｄｅｍａｐｐｅｒ）
４５５  制御器
４６０  ＩＤＦＴユニット
４７０  乗算器
４８０  加算器
４９０  復調器及びデコーダ
４９５  ＨＡＲＱ−ＡＣＫビット
５０５  ＨＡＲＱ−ＡＣＫビット
５１０  セグメンテーションブロック
５２０  コーディング及び変調ブロック
５２５  コーディング及び変調ブロック
５３０  ブロック
５４０  乗算器
５５０  ＤＦＴプリコーダ
５６０  制御器
５６５  サブキャリアマッパー
５７０  ＩＦＦＴブロック
５８０  信号
６１０  信号
６２０  ＦＦＴブロック
６３０  サブキャリアデマッパー
６３５  制御器
６４０  ＩＤＦＴブロック
６５０  乗算器
６６０  合計ブロック
６７０  収集ブロック
６７５  分離ブロック
６８０  復調及びデコーディングブロック
６８５  復調及びデコーディングブロック
６９０  ＨＡＲＱ−ＡＣＫビット
【図１】
2014501067.tif 000065
【図２】
2014501067.tif 000066
【図３】
2014501067.tif 000067
【図４】
2014501067.tif 000068
【図５】
2014501067.tif 000069
【図６】
2014501067.tif 000070
【図７】
2014501067.tif 000071
【図８】
2014501067.tif 000072
【図９】
2014501067.tif 000073
【図１０】
2014501067.tif 000074
【図１１】
2014501067.tif 000075
【図１２】
2014501067.tif 000076
【図１３】
2014501067.tif 000077
【図１４】
2014501067.tif 000078
【図１５】
2014501067.tif 000079
【国際調査報告】
2014501067.tif 000080
2014501067.tif 000081